(57)【要約】【課題】低消費電力であり、かつ装置の状態を正しく表示可能な発光装置を提供する。【解決手段】本発明の一態様としての発光装置は、第１の発光素子（ＬＥＤ２２０）と、所定の波長の光を選択的に反射する選択反射状態を保持可能なコレステリック液晶素子２１０と、前記第１の発光素子（ＬＥＤ２２０）が発光状態のときに、前記コレステリック液晶素子２１０を選択反射状態に保持するよう制御可能に構成された制御部１３０と、を備える。【選択図】図２
2011221155.tif 000002
【特許請求の範囲】
【請求項１】
第１の発光素子と、
所定の波長の光を選択的に反射する選択反射状態を保持可能なコレステリック液晶素子と、
前記第１の発光素子が発光状態のときに、前記コレステリック液晶素子を選択反射状態に保持するよう制御可能に構成された制御部と、を備える
発光装置。
【請求項２】
前記制御部は、前記第１の発光素子が点滅状態のときに、前記コレステリック液晶素子を選択反射状態に保持するよう制御可能に構成された、
請求項１に記載の発光装置。
【請求項３】
前記制御部は、前記第１の発光素子が消灯状態になる前に、前記コレステリック液晶素子を光透過状態にするよう制御可能に構成された、
請求項１または２に記載の発光装置。
【請求項４】
前記第１の発光素子とは異なる波長の光を発光可能に構成された第２の発光素子をさらに備える、
請求項１乃至３のいずれか１項に記載の発光装置。
【請求項５】
請求項１乃至４のいずれか１項に記載の発光装置と、
記憶性を有する表示装置を備える、
電子機器。
【発明の詳細な説明】
【技術分野】
【０００１】
本発明の一態様は発光装置に関し、特に、コレステリック液晶素子を利用した発光装置に関する。
【背景技術】
【０００２】
昨今、電子ペーパーと呼ばれる紙に近い表示特性を有する表示装置の実用化が進められている。電子ペーパーの特徴のひとつは、反射光を利用して表示する反射型表示装置である点である。このような反射型表示装置は、バックライトを有する透過型液晶表示装置や、ＥＬディスプレイなどの自発光型表示装置に比べ、外光を拡散的に反射する紙に近い表示方式を採用するため、読みやすく目にやさしい表示を低消費電力で行うことができる。電子ペーパーの代表的なものとしては電気泳動方式の表示装置があり、高コントラストな表示が可能である。
【０００３】
電子ペーパーのもうひとつの特徴は、表示を書き換えるとき以外はシステムを待機状態にしても表示が保持される記憶性表示体を備える点であり、これにより低消費電力を実現可能である。しかし、この記憶性表示体は表示を書き換えるとき以外には表示状態が変化しないので、ユーザーは、装置の電源が入っているのか、操作を受け付けるのかという動作状態が分からないという課題がある。そこで、電子ペーパーでは記憶性表示体に加え、電子ペーパーの動作状態を示すインジケーターを設けることが多い。インジケーターとしては、一般的に知られるＬＥＤを用いる例や、特開２００４−２４０５３３号公報（特許文献１）に開示されているコレステリック液晶を用いる例がある。
【先行技術文献】
【特許文献】
【０００４】
【特許文献１】特開２００４−２４０５３３号公報
【発明の概要】
【発明が解決しようとする課題】
【０００５】
ここで、電子ペーパーは上記のとおり記憶性表示体であり表示を書き換えない待機状態では電力を消費しないため、低消費電力を実現することができる。しかし、電子ペーパーにおけるインジケーターとしてＬＥＤを用いた場合、消費電力の小さな電子ペーパーにおいては無視できない電力がＬＥＤで消費されていた。
【０００６】
また、電子ペーパーにおけるインジケーターとしてコレステリック液晶を用いた場合、電子ペーパーへの電力供給が突然途絶えた場合などでもコレステリック液晶の表示状態がそのまま保持されてしまう。したがって、電子ペーパーの電源投入の状態を正しく示すことができなかった。
【課題を解決するための手段】
【０００７】
上記課題を解決するために、本発明の一態様の発光装置では、第１の発光素子と、所定の波長の光を選択的に反射する選択反射状態を保持可能なコレステリック液晶素子と、前記第１の発光素子が発光状態のときに、前記コレステリック液晶素子を選択反射状態に保持するよう制御可能に構成された制御部と、を備える。
【０００８】
かかる構成の発光装置によれば、例えばＬＥＤなどの第１の発光素子に加えてコレステリック液晶素子を用いているため、第１の発光素子のみを用いる場合と比較して、同じ光量を得るために必要な第１の発光素子の光量を減少させることができる。これによって、第１の発光素子のみを用いた場合よりも消費電力を低減させることができる。
【０００９】
また、前記制御部は、前記第１の発光素子が点滅状態のときに、前記コレステリック液晶素子を選択反射状態に保持するよう制御可能に構成されてもよい。
【００１０】
かかる構成によれば、第１の発光素子を点灯させ続けなくても一定の光量を得ることができ、消費電力を低減しつつ、発光装置の状態を適切に表示することが可能となる。また、発光装置への電力の供給が突然停止した場合に発光装置の表示状態が変化するため、ユーザーが発光装置の状態が変化したことを認識可能にすることができる。
【００１１】
また、前記制御部は、前記第１の発光素子が消灯状態になる前に、前記コレステリック液晶素子を光透過状態にするよう制御可能に構成されてもよい。
【００１２】
かかる構成によれば、発光装置が消灯状態のときには発光も光の反射もない黒色表示にすることができ、発光装置の状態を認識しやすくすることができる。
【００１３】
また、前記第１の発光素子とは異なる波長の光を発光可能に構成された第２の発光素子をさらに備えてもよい。
【００１４】
かかる構成によれば、消費電力を低減させながら２色表示をすることができる。
【００１５】
また、本発明は上記いずれかの発光装置と記憶性を有する表示装置とを備える電子機器をも含む。
【図面の簡単な説明】
【００１６】
【図１】電子ペーパーの外観を示す図。
【図２】電子ペーパーの構成例を示すブロック図。
【図３】実施形態１に係るインジケーターの構成例を示す図。
【図４】プレーナー配向時のコレステリック液晶素子を示す図。
【図５】フォーカルコニック配向時のコレステリック液晶素子を示す図。
【図６】コレステリック液晶素子に印加する電圧を示す図。
【図７】駆動電圧発生手段の具体的な構成例を示す図。
【図８】ＬＥＤのみをインジケーターとして用いた場合の動作例を示す図。
【図９】コレステリック液晶素子のみをインジケーターとして用いた場合の動作例を示す図。
【図１０】実施形態１に係るインジケーターの第１の動作例を示す図。
【図１１】実施形態１に係るインジケーターの第２の動作例を示す図。
【図１２】実施形態２に係るインジケーターの構成例を示す図。
【図１３】実施形態２に係るインジケーターの動作例を示す図。
【発明を実施するための形態】
【００１７】
本発明に係る実施形態について、以下の構成に従って、図面を参照しながら具体的に説明する。ただし、以下で説明する実施形態はあくまで本発明の一例に過ぎず、本発明の技術的範囲を限定するものではない。なお、各図面において、同一の部品には同一の符号を付しており、その説明を省略する場合がある。
１．実施形態１
（１）電子ペーパーの構成例
（２）インジケーターの構成例
（３）動作例１
（４）動作例２
２．実施形態２
（１）インジケーターの構成例
（２）動作例
３．本発明の特徴
【００１８】
＜１．実施形態１＞
本発明の実施形態１における発光装置としてのインジケーター、及び発光装置を備える電子ペーパーの構成及び動作について、図面を参照しながら説明する。
【００１９】
＜（１）電子ペーパーの構成例＞
図１は、本発明の一実施形態における電子ペーパーの外観を示す図である。図２は、本発明の一実施形態における電子ペーパーの構成を示すブロック図である。
【００２０】
図１に示すように、本実施形態１の電子ペーパー１００は、外観において、記憶性表示体１１０及びインジケーター２００を含んで構成される。記憶性表示体１１０は、例えば電気泳動方式の表示体などにより構成される。インジケーター２００については後述するが、ＬＥＤなどの発光素子、及びコレステリック液晶素子によって構成される。
【００２１】
図２に示すように、本実施形態１の電子ペーパー１００は、機能ブロックとして、記憶性表示体１１０、駆動電圧発生手段１２０、システム制御手段１３０、及びインジケーター２００を含んで構成される。インジケーター２００は、コレステリック液晶素子（ＣｈＬＣＤ）２１０及びＬＥＤ２２０を含んで構成される。
【００２２】
駆動電圧発生手段１２０は、記憶性表示体１１０、コレステリック液晶素子２１０、及びＬＥＤ２２０を駆動するための電圧を発生し、各部に供給可能に構成される。
【００２３】
システム制御手段１３０は、例えばＣＰＵなどであって、記憶性表示体１１０、コレステリック液晶素子２１０及びＬＥＤ２２０に所望の電圧を印加するよう駆動電圧発生手段１２０を制御可能に構成される。
【００２４】
インジケーター２００のコレステリック液晶素子２１０は、駆動電圧発生手段１２０から印加された駆動電圧により配向状態を変化可能に構成される。コレステリック液晶素子２１０は、この配向状態の変化により特性が変化するが、具体的な特性については後述する。
【００２５】
インジケーター２００のＬＥＤ２２０は、駆動電圧発生手段１２０から印加された駆動電圧によって駆動され、所定の波長を有する光を発生可能に構成される。
【００２６】
＜（２）インジケーターの構成例＞
図３は、コレステリック液晶素子２１０及びＬＥＤ２２０を含むインジケーター２００の構成の一例を示す図である。図３に示すように、コレステリック液晶素子２１０は、コレステリック液晶層２１１、上部電極２１２、下部電極２１３、封止材２１４、及びガラス板２１５を含んで構成される。
【００２７】
コレステリック液晶素子２１０は、中心部にコレステリック液晶層２１１を備え、コレステリック液晶層２１１の上部及び下部にそれぞれ上部電極２１２及び下部電極２１３を備える。また、コレステリック液晶層２１１、上部電極２１２、及び下部電極２１３を上下から挟み込むように光透過性を有するガラス板２１５が設けられている。さらに、コレステリック液晶層２１１のガラス板２１５により挟み込まれていない周辺部は、封止材２１４によって囲まれている。コレステリック液晶素子２１０の上部電極２１２及び下部電極２１３は駆動電圧発生手段１２０から電圧を印加され、コレステリック液晶層２１１はこの電圧によって配向状態を変化可能に構成される。コレステリック液晶層２１１の配向状態の詳細については後述するが、コレステリック液晶層２１１は透過状態と選択反射状態とを有する。選択反射状態のコレステリック液晶層２１１は、所定の波長を有する入射光２３０を反射可能に構成されている。なお、ここでは便宜上、「上」及び「下」としてそれぞれの構成の位置関係を説明しているが、図３に示すような位置関係を有するものであればよい。
【００２８】
ＬＥＤ２２０は、駆動電圧発生手段１２０から印加された電圧によって所定の波長の光２３１を発生可能に構成される。
【００２９】
ここで、コレステリック液晶素子２１０の配向状態について具体的に説明する。図４は、プレーナー配向時のコレステリック液晶素子、図５は、フォーカルコニック配向時のコレステリック液晶素子を示す図である。
【００３０】
コレステリック液晶素子２１０の上部電極２１２及び下部電極２１３の間に所定の電圧を印加すると、コレステリック液晶層２１１は図４に示すようなプレーナー配向状態となる。プレーナー配向状態となったコレステリック液晶層２１１は、図４にも示すように、所定の波長の光を反射可能である。プレーナー配向状態となったコレステリック液晶層２１１は、上記の所定の波長以外の波長を有する光については反射せずに透過する。
【００３１】
コレステリック液晶素子２１０の上部電極２１２及び下部電極２１３の間に、上記とは別の所定の電圧を印加すると、コレステリック液晶層２１１は図５に示すようなフォーカルコニック配向状態となる。フォーカルコニック配向状態となったコレステリック液晶層２１１は、図５に示すようにほぼすべての入射光２３０を透過する。
【００３２】
図６（Ａ）及び（Ｂ）は、コレステリック液晶素子２１０の配向状態を変化させる際に上部電極２１２と下部電極２１３との電極間の印加電圧の一例を示す図である。図６（Ａ）は、コレステリック液晶素子２１０をフォーカルコニック配向状態にするとき、図６（Ｂ）は、コレステリック液晶素子２１０をプレーナー配向状態にするときの印加電圧を示す。図６（Ａ）及び（Ｂ）から分かるように、コレステリック液晶素子２１０をフォーカルコニック配向状態にするときには、電極間に電圧ＶＦを印加し、プレーナー配向状態にするときには、電極間に電圧ＶＦより高い電圧ＶＰを印加する。このように、コレステリック液晶素子２１０の上部電極２１２及び下部電極２１３の電極間に印加する電圧を変化させることで、コレステリック液晶素子２１０に含まれるコレステリック液晶層２１１の配向状態を変化させることができる。
【００３３】
図７は、コレステリック液晶素子２１０の上部電極２１２及び下部電極２１３に電圧を印加する駆動電圧発生手段１２０の構成の一例を示す図である。図７に示すように、駆動電圧発生手段１２０は、電圧発生手段１２１、上部電極駆動電圧発生部１２２、及び下部電極駆動電圧発生部１２３を含んで構成される。
【００３４】
電圧発生手段１２１は、所定の電圧を発生可能に構成される。この電圧発生手段１２１は、電子ペーパーに供給される電源電圧供給部であってもよいし、電源電圧供給部から供給される電圧を昇圧または降圧した電圧を供給可能な昇圧回路または降圧回路などであってもよい。
【００３５】
上部電極駆動電圧発生部１２２及び下部電極駆動電圧発生部１２３は、システム制御手段１３０から供給される制御信号に基づいて、それぞれ上部電極２１２及び下部電極２１３に電圧を供給可能に構成される。例えば、システム制御手段１３０が、コレステリック液晶素子２１０の配向状態をフォーカルコニック配向状態にするよう指示した場合、上部電極駆動電圧発生部１２２は電位ＶＡを上部電極２１２に印加し、下部電極駆動電圧発生部１２３は電位ＶＢを下部電極２１３に印加する。電位ＶＡと電位ＶＢとの電位差の絶対値（｜ＶＡ−ＶＢ｜）は、コレステリック液晶素子２１０をフォーカルコニック配向状態にするための電圧ＶＦになっている。同様に、コレステリック液晶素子２１０の配向状態をプレーナー配向状態にするときは、上記電位差の絶対値（｜ＶＡ−ＶＢ｜）が電圧ＶＰになるよう、システム制御手段１３０が上部電極駆動電圧発生部１２２及び下部電極駆動電圧発生部１２３に指示する。
【００３６】
＜（３）動作例１＞
次に、本実施形態１のインジケーターの動作例について説明する。ここでは、まず従来のインジケーターの動作の概要を説明し、その後本実施形態１のインジケーターの動作について説明する。
【００３７】
図８は、従来のＬＥＤのみを備えるインジケーターの動作を示す図である。図８の時間Ｔ１２に示されるように、表示装置がパワーオン状態のとき、インジケーターのＬＥＤは点滅状態となる。一方で表示装置がパワーオフ状態のとき、図８の時間Ｔ１１及びＴ１３で示されるように、インジケーターのＬＥＤは消灯状態となる。したがって、ユーザーは表示装置の状態を一目で認識できる。しかし、記憶性表示体の消費電力に対してＬＥＤの消費電力は比較的大きく、ＬＥＤをインジケーターとして用いた表示装置の消費電力が大きくなってしまう。
【００３８】
図９は、従来のコレステリック液晶素子のみを備えるインジケーターの動作を示す図である。図９の時間Ｔ２２に示されるように、表示装置がパワーオン状態のとき、インジケーターのコレステリック液晶素子は選択反射状態とされ、入射光のうちの所定の波長を有する光を反射するため、ユーザーは例えばインジケーターが赤色に表示されていると認識する。一方、表示装置がパワーオフ状態のとき、図９の時間Ｔ２１及びＴ２３で示されるように、インジケーターのコレステリック液晶素子は透過状態となり、ユーザーはインジケーターが消灯されている、または黒色表示であると認識する。しかし、パワーオン状態においいてコレステリック液晶素子が選択反射状態から透過状態に変化されることなく表示装置に供給される電力が停止したような場合、コレステリック液晶素子は選択反射状態を保持する。したがって、コレステリック液晶素子は引き続き、例えば赤色の表示状態となるため、ユーザーは表示装置がパワーオン状態であると誤認するおそれがある。
【００３９】
図１０は、本実施形態１にかかる、ＬＥＤとコレステリック液晶素子とを備えるインジケーターの動作の第１の例を示す図である。図１０の時間Ｔ３２に示されるように、表示装置がパワーオン状態のとき、インジケーターのコレステリック液晶素子は選択反射状態とされ、ＬＥＤは点滅状態とされる。なお、本実施形態１ではコレステリック液晶素子は赤色の入射光を選択的に反射し、ＬＥＤは赤色に点滅する。これにより、インジケーターから出射される光量は、図１０に示すように、ＬＥＤが点灯している時間はＬＥＤの光量とコレステリック液晶素子の光量とを合わせた光量となり、ＬＥＤが消灯している時間はコレステリック液晶素子の光量のみとなる。
【００４０】
一方で、表示装置がパワーオフ状態のとき、図１０の時間Ｔ３１及びＴ３３に示されるように、インジケーターのコレステリック液晶素子は透過状態とされ、ＬＥＤは消灯状態とされる。これにより、インジケーターから出射される光量はほぼなくなる。
【００４１】
上記のような構成と機能を有するインジケーターによれば、ＬＥＤを点灯させ続けないので、ＬＥＤを点灯させ続ける場合と比較して、消費電力を低減させることができる。また、仮にパワーオン状態においてコレステリック液晶素子が透過状態に変化されることなく表示装置に供給される電力が停止したような場合はＬＥＤが消灯状態となるため、インジケーターはコレステリック液晶素子の光量のみによる表示状態となる。すなわち、図１０における時間Ｔ３２におけるインジケーターの表示状態と異なるため、ユーザーは表示装置がパワーオン状態ではないことを認識可能となる。
【００４２】
また、以下の実施形態においても同様であるが、表示装置がパワーオフ状態となりＬＥＤ２２０が消灯状態となる前にコレステリック液晶素子２１０を光透過状態するので、インジケーターが消灯状態のときは発光も光の反射もない黒色表示にすることができる。これにより、インジケーターを含む表示装置の状態を認識しやすくすることができる。
【００４３】
＜（４）動作例２＞
図１１は、本実施形態１にかかる、ＬＥＤとコレステリック液晶素子とを備えるインジケーターの動作の第２の例を示す図である。この例では、表示装置は通信機能を有しており、インジケーターは表示装置が受信状態であるか送信状態であるかという２種類の状態を区別して表示可能に動作する。なお、以下の例ではコレステリック液晶素子は選択反射状態において緑色の波長の光を反射可能に構成され、ＬＥＤは赤色の光を発生可能に構成される。
【００４４】
図１１の時間Ｔ４２及びＴ４４に示されるように、表示装置が受信状態のとき、インジケーターのコレステリック液晶素子は選択反射状態とされ、ＬＥＤは消灯状態とされる。これによって、インジケーターの表示は、コレステリック液晶素子により反射された緑色による表示状態となる。
【００４５】
次に、図１１の時間Ｔ４３に示されるように、表示装置時が送信状態のとき、インジケーターのコレステリック液晶素子は選択反射状態とされ、ＬＥＤは点灯状態とされる。これによって、インジケーターの表示は、コレステリック液晶素子により反射された緑色と、ＬＥＤにより発生された赤色とが合成された、橙色による表示状態となる。
【００４６】
また、図１１の時間Ｔ４１及びＴ４５に示されるように、表示装置が非通信状態のとき、インジケーターのコレステリック液晶素子は透過状態とされ、ＬＥＤは消灯状態とされる。これによって、インジケーターは光を発せず、黒色による表示状態となる。
【００４７】
以上のように、コレステリック液晶素子が選択反射状態のときに選択的に反射する光の波長と、ＬＥＤから発生される光の波長とを異なる波長にすることで、低消費電力であって、かつ複数色による表示が可能なインジケーターを提供することができる。
【００４８】
＜２．実施形態２＞
次に、本発明の実施形態２における発光装置としてのインジケーターの構成及び動作について、図面を参照しながら説明する。なお、本実施形態２の発光装置も、実施形態１の記載の電子ペーパーに応用可能である。
【００４９】
＜（１）インジケーターの構成例＞
図１２は、本実施形態２におけるインジケーターの構成例を示す図である。本実施形態２と実施形態１とを比較すると、本実施形態２のインジケーターは、図１２に示すように、複数のＬＥＤを含む点で異なっており、その他の点では同様の構成と機能を備える。
【００５０】
ＬＥＤ２２０は、第１ＬＥＤ２２１及び第２ＬＥＤ２２２を備える構成となっており、これらのＬＥＤは互いに異なる色で発光可能に構成される。第１ＬＥＤ２２１と第２ＬＥＤ２２２とは、それぞれ独立して電圧を印加可能に構成されている。また、以下の説明においては第１ＬＥＤ２２１は緑色、第２ＬＥＤ２２２は赤色に発光可能であるものとする。
【００５１】
＜（２）動作例＞
次に、本実施形態２のインジケーターの動作例について説明する。なお、本実施形態２の表示装置はスタンバイ状態とアクティブ状態とを有しており、これらの状態を識別可能にするためにインジケーターが設けられている。
【００５２】
図１３は、本実施形態２にかかる、ＬＥＤとコレステリック液晶素子とを備えるインジケーターの動作例を示す図である。
【００５３】
図１３の時間Ｔ５２に示されるように、表示装置がスタンバイ状態のとき、インジケーターのコレステリック液晶素子は緑色の光を反射可能な選択反射状態とされ、緑色の第１ＬＥＤは点滅状態、赤色の第２ＬＥＤは消灯状態とされる。これにより、インジケーターの表示色は、図１３に示されるように、緑色の点滅状態となる。
【００５４】
次に、図１３の時間Ｔ５３に示されるように、表示装置がアクティブ状態のとき、インジケーターのコレステリック液晶素子は緑色の光を反射可能な選択反射状態とされ、緑色の第１ＬＥＤは消灯状態、赤色の第２ＬＥＤは点滅状態とされる。ここで、コレステリック液晶素子は緑色の光を反射するので、インジケーターは、赤色の第２ＬＥＤが点灯しているときは緑色と赤色とが合成された橙色の表示となり、赤色の第２ＬＥＤが消灯しているときは緑色の表示となる。
【００５５】
次に、図１３の時間Ｔ５１及びＴ５４に示されるように、表示装置がオフ状態のとき、インジケーターのコレステリック液晶素子は透過状態とされ、緑色の第１ＬＥＤ及び赤色の第２ＬＥＤは消灯状態とされる。これにより、インジケーターは光を発せず、黒色による表示状態となる。
【００５６】
このように、互いに異なる色で発光可能な複数のＬＥＤを備えることで、消費電力を低減させながら複数色表示させることが可能となる。さらに、例えば、ユーザーが表示装置の動作モードを視認でき、かつ表示装置が動作していることを直感的に認識することができる。
【００５７】
なお、コレステリック液晶素子が反射する光の波長をＬＥＤが発生する光の波長と異なる波長とすれば、さらに多数の色による表示が可能となる。また、ＬＥＤが発生する光及びコレステリック液晶素子が反射する光は、それぞれ任意の波長（色）を選択可能である。
【００５８】
＜３．本発明の特徴と適用可能性＞
本発明の具体的な構成としては、上記実施形態で説明したようなものがあるが、これらは以下のような特徴を備えるものである。
【００５９】
すなわち、いずれの実施形態にかかる発光装置としてのインジケーターも、コレステリック液晶素子２１０及び発光素子としてのＬＥＤ２２０を備えるので、発光素子のみを用いてインジケーターを構成する場合と比較して、同じ光量を得るために必要な発光素子の光量を減少させることができる。これによって、発光素子のみを用いた場合よりも消費電力を低減させることができる。
【００６０】
また、本発明の発光装置としてのインジケーターは、図１に示したような電子ペーパーに加え、記憶性を有する表示装置を備える電子機器に広く適用可能である。
【００６１】
なお、コレステリック液晶素子２１０が備えるガラス板２１５は必ずしもガラスである必要があるわけではなく、十分な光透過性を有する他の材料により構成されてもよい。
【００６２】
また、ＬＥＤによって発生される光、及びコレステリック液晶素子によって反射される光の波長はそれぞれ任意に選択可能であり、上記実施形態に記載の例に限るものではない。
【００６３】
また、上記実施形態では発光素子としてＬＥＤを用いる例を説明しているが、例えば有機ＥＬを用いるなど、他の自発光素子に置き換えることも可能である。
【００６４】
また、上記実施形態では記憶性反射型表示装置の一例として電気泳動表示装置を挙げているが、これに限る趣旨ではなく、例えばエレクトロクロミックを用いた表示装置に置き換えることなども可能である。
【符号の説明】
【００６５】
１００……電子ペーパー、１１０……記憶性表示体、１２０……駆動電圧発生手段、１２１……電圧発生手段、１２２……上部電極駆動電圧発生部、１２３……下部電極駆動電圧発生部、１３０……システム制御手段、２００……インジケーター、２１０……コレステリック液晶素子、２１１……コレステリック液晶層、２１２……上部電極、２１３……下部電極、２１４……封止材、２１５……ガラス板、２２０……ＬＥＤ、２３０……入射光、２３１……ＬＥＤからの発光
【図３】
2011221155.tif 000003
【図１２】
2011221155.tif 000004
【図１】
2011221155.tif 000005
【図２】
2011221155.tif 000006
【図４】
2011221155.tif 000007
【図５】
2011221155.tif 000008
【図６】
2011221155.tif 000009
【図７】
2011221155.tif 000010
【図８】
2011221155.tif 000011
【図９】
2011221155.tif 000012
【図１０】
2011221155.tif 000013
【図１１】
2011221155.tif 000014
【図１３】
2011221155.tif 000015